(57)【要約】【課題】本発明は、デスクの使用者が、着席状態で手の届く範囲の作業スペースを広げることができるデスク、及び、デスクとサイドキャビネットを提供する。【解決手段】天板１２と、付属パネル２０を有するデスク１であって、前記付属パネル２０は板状部材３５を有し、前記付属パネル２０は、前記天板１２の後方に取付けられてバックパネルとして使用することができ、及び／又は、前記天板１２の側方に取付けられてサイドパネルとして使用することができるとともに、前記付属パネル２０を、その板状部材３５の一方の面３５ｂが、天板１２の上面と略同一面となるように、前記天板１２の側部に取付けることもできるデスク、及び、デスクとサイドキャビネット。【選択図】図１６
2009297279.tif 000002
【特許請求の範囲】
【請求項１】
天板と、付属パネルを有するデスクであって、
前記付属パネルは板状部材を有し、
前記付属パネルは、前記天板の後方に取付けられてバックパネルとして使用することができ、及び／又は、前記天板の側方に取付けられてサイドパネルとして使用することができるとともに、
前記付属パネルを、その板状部材の一方の面が、前記天板の上面と略同一面となるように、前記天板の側部に取付けることもできることを特徴とするデスク。
【請求項２】
天板の下部に収納空間を設けたデスクと、前記収納空間内に収納できる移動自在なサイドキャビネットと、前記デスク及び／又はサイドキャビネットに取付けできる付属パネルとを有するデスクとサイドキャビネットであって、
前記付属パネルは板状部材を有し、
前記付属パネルは、前記デスクの後部に取付けられてデスクのバックパネルとして使用することができ、及び／又は、前記デスクの側部に取付けられてデスクのサイドパネルとして使用することができ、及び／又は、前記サイドキャビネットの上部後方に取付けられてサイドキャビネットのバックパネルとして使用することができるとともに、
前記付属パネルを、前記板状部材の一方の面が、前記天板の上面と略同一面となるように、前記サイドキャビネットの上部に取付けることができることを特徴とするデスクとサイドキャビネット。
【請求項３】
前記付属パネルを前記サイドキャビネットの上部に取付け、該サイドキャビネットの一部を、前記収納空間内に収納した状態において、前記天板の前側と、前記板状部材の後側とを近接させることができることを特徴とする請求項２記載のデスクとサイドキャビネット。
【請求項４】
前記付属パネルは、板状部材と該板状部材の他方の面から突出する側部材を有し、
前記側部材を、サイドキャビネットの上部に取付けて、前記板状部材の一方の面が、天板の上面と略同一面となるように、前記付属パネルを前記サイドキャビネットに取付けることができ、
前記付属パネルを、サイドパネル又はバックパネルとして使用する際には、前記側部材を本立てのアームとして使用することができることを特徴とする請求項２又は３記載のデスクとサイドキャビネット。
【請求項５】
天板の下部に収納空間を設けたデスクと、前記収納空間内に収納できる移動自在なサイドキャビネットと、前記デスク及び／又はサイドキャビネットに取付けできる第１付属パネル及び第２付属パネルとを有するデスクとサイドキャビネットであって、
前記第１付属パネル及び第２付属パネルは板状部材を有し、
前記第１付属パネルは、前記デスクの後部に取付けてデスクのバックパネルとして使用することができ、及び／又は、前記デスクの側部に取付けてデスクのサイドパネルとして使用することができるとともに、
前記第１付属パネルを、その板状部材の一方の面が、天板の上面と略同一面となるように、前記デスクの側部に取付けることができ、
前記第２付属パネルは、前記デスクの後部に取付けてデスクのバックパネルとして使用することができ、及び／又は、前記デスクの側部に取付けてデスクのサイドパネルとして使用することができ、及び／又は、前記サイドキャビネットの上部後方に取付けてサイドキャビネットのバックパネルとして使用することができるとともに、
前記第２付属パネルを、その板状部材の一方の面が、天板の上面と略同一面となるように、前記サイドキャビネットの上部に取付けることができることを特徴とするデスクとサイドキャビネット。
【発明の詳細な説明】
【技術分野】
【０００１】
本発明はデスク、及び、デスクとサイドキャビネットに関するものである。
【背景技術】
【０００２】
従来、表裏面における一方の面をピンナップボード等の機能ボード面に形成したパネル部材を有するデスクにおいて、前記パネル部材を、その一方の面をデスクの内側方向に向けてデスクの後側に立設配置することにより、ピンナップボード等として使用でき、また、前記パネル部材を、その他方の面を上向きにして、デスクの天板の上面と同一面となるように、デスクの後側に水平に配置することにより、天板の上面をデスクの後方へ広げて、デスクを面談カウンターとして使用することができるデスクが知られている（特許文献１参照）。以下、これを従来技術１とする。
【特許文献１】特許第３０５７９７３号
【発明の開示】
【発明が解決しようとする課題】
【０００３】
前記従来技術１のデスクにおいては、天板の広さをデスクの後方へ作業スペースを広くすることができるが、作業者の手元の左右方向の範囲が広がるわけではなく、個人でその後方へ広がったスペースを使用するには、立ち上がる等の動作が必要となり、その広がったスペースが有効活用しにくいという問題がある。
【０００４】
また、従来技術１のデスクを家庭において使用する際には、デスクの後端を壁に近接させて使用する場合が多く、この場合には、デスクと壁との間の空間的な余裕が少なく、前記パネル部材をデスクの奥行き方向に配置してスペースを広げることができないという問題がある。
【０００５】
そこで、本発明は、デスクの使用者が、着席状態で手の届く範囲の作業スペースを広げることができるデスク、及び、デスクとサイドキャビネットを提供することを目的とするものである。
【課題を解決するための手段】
【０００６】
前記課題を解決するために、請求項１記載の発明は、天板と、付属パネルを有するデスクであって、
前記付属パネルは板状部材を有し、
前記付属パネルは、前記天板の後方に取付けられてバックパネルとして使用することができ、及び／又は、前記天板の側方に取付けられてサイドパネルとして使用することができるとともに、
前記付属パネルを、その板状部材の一方の面が、前記天板の上面と略同一面となるように、前記天板の側部に取付けることもできることを特徴とするデスクである。
【０００７】
請求項２記載の発明は、天板の下部に収納空間を設けたデスクと、前記収納空間内に収納できる移動自在なサイドキャビネットと、前記デスク及び／又はサイドキャビネットに取付けできる付属パネルとを有するデスクとサイドキャビネットであって、
前記付属パネルは板状部材を有し、
前記付属パネルは、前記デスクの後部に取付けられてデスクのバックパネルとして使用することができ、及び／又は、前記デスクの側部に取付けられてデスクのサイドパネルとして使用することができ、及び／又は、前記サイドキャビネットの上部後方に取付けられてサイドキャビネットのバックパネルとして使用することができるとともに、
前記付属パネルを、前記板状部材の一方の面が、前記天板の上面と略同一面となるように、前記サイドキャビネットの上部に取付けることができることを特徴とするデスクとサイドキャビネットである。
【０００８】
請求項３記載の発明は、請求項２記載のデスクとサイドキャビネットにおいて、前記付属パネルを前記サイドキャビネットの上部に取付け、該サイドキャビネットの一部を、前記収納空間内に収納した状態において、前記天板の前側と、前記板状部材の後側とを近接させることができることを特徴とするものである。
【０００９】
請求項４記載の発明は、請求項２又は３記載のデスクとサイドキャビネットにおいて、前記付属パネルは、板状部材と該板状部材の他方の面から突出する側部材を有し、
前記側部材を、サイドキャビネットの上部に取付けて、前記板状部材の一方の面が、天板の上面と略同一面となるように、前記付属パネルを前記サイドキャビネットに取付けることができ、
前記付属パネルを、サイドパネル又はバックパネルとして使用する際には、前記側部材を本立てのアームとして使用することができることを特徴とするものである。
【００１０】
請求項５記載の発明は、天板の下部に収納空間を設けたデスクと、前記収納空間内に収納できる移動自在なサイドキャビネットと、前記デスク及び／又はサイドキャビネットに取付けできる第１付属パネル及び第２付属パネルとを有するデスクとサイドキャビネットであって、
前記第１付属パネル及び第２付属パネルは板状部材を有し、
前記第１付属パネルは、前記デスクの後部に取付けてデスクのバックパネルとして使用することができ、及び／又は、前記デスクの側部に取付けてデスクのサイドパネルとして使用することができるとともに、
前記第１付属パネルを、その板状部材の一方の面が、天板の上面と略同一面となるように、前記デスクの側部に取付けることができ、
前記第２付属パネルは、前記デスクの後部に取付けてデスクのバックパネルとして使用することができ、及び／又は、前記デスクの側部に取付けてデスクのサイドパネルとして使用することができ、及び／又は、前記サイドキャビネットの上部後方に取付けてサイドキャビネットのバックパネルとして使用することができるとともに、
前記第２付属パネルを、その板状部材の一方の面が、天板の上面と略同一面となるように、前記サイドキャビネットの上部に取付けることができることを特徴とするデスクとサイドキャビネットである。
【発明の効果】
【００１１】
本発明は、付属パネルを、サイドパネルやバックパネル等として使用できるとともに、前記付属パネルを、その板状部材の一方の面が天板の上面と略同一面となるように前記天板の側部に取付けたり、前記付属パネルを、その板状部材の一方の面が天板の上面と略同一面となるようにサイドキャビネットの上部に取付けることにより、デスクの左右方向、若しくは前側（使用者側）の作業スペースを広げることができ、デスクの使用者の着席状態で手の届く範囲の作業スペースを広げることができる。
【発明を実施するための最良の形態】
【００１２】
本発明を実施するための最良の形態を図１乃至図２１に示す実施例に基づいて説明する。
【００１３】
本発明の実施例のデスク１は、図１に示すように、その下部にサイドキャビネット３を収納できる収納空間２を有し、前記デスク１とサイドキャビネット３は、付属パネル２０、２１を取付けることができるようになっている。
【００１４】
なお、以下、デスク１の使用者が座る側、すなわち図１におけるＡ側を前側とし、その反対側、すなわちＢ側を後側とし、図１のＣ側を左側、Ｄ側を右側として説明する。
【００１５】
前記デスク１には、その左右側に位置して、図１、２に示すように、１対の脚５、５を有している。該両脚５は、夫々、上フレーム６と、下フレーム７と、側フレーム８で一体に形成されている。
【００１６】
前記下フレーム７の上部には、側フレーム８が立設して設けられており、該側フレーム８は、図１、図４、図５に示すように、前側フレーム８ａと後側フレーム８ｂで構成され、前側フレーム８ａ及び後側フレーム８ｂは、下部から上方に向うほど前方に傾斜するように形成されている。前記側フレーム８の上部には上フレーム６が設けられている。下フレーム７と、前側フレーム８ａと、後側フレーム８ｂと、上フレーム６で囲まれた部位には、図１、図４、図５に示すように、空間１０が形成されている。また、前記左右の脚５、５における両後側フレーム８ｂ、８ｂ間には棧９が架設されている。
【００１７】
前記両上フレーム６の上面で、かつ、両上フレーム６、６間全体に亘って天板１２が固設されている。該天板１２の後部は、図４に示すように、上フレーム６、６の後部Ｂより若干後方へ突出し、その突出した天板１２の下部には取付部材１３が設けられている。前記天板１２の左右の側面と脚５、５の外側面とが、図２、図３に示すように、略同一垂直面となるように設定され、天板１２の後側Ｂの面と取付部材１３の後側Ｂの面とが、図４、図５に示すように、略同一垂直面となるように設定されている。
【００１８】
前記左右の上フレーム６の側面には、図４、図５に示すように、夫々、取付孔６ａ、６ａが前方と後方に位置して２個設けられ、該取付孔６ａ内には雌ネジが固設されている。該前後の取付孔６ａと６ａの中心間の距離Ｌ１は、図１１に示すように、後述する第１付属パネル２０における板状部材３５の取付孔３５ａと３５ａの中心間の距離Ｌ２、及び、第２付属パネル２１における板状部材４１の取付孔４１ａと４１ａの中心間の距離Ｌ３と同一に設定されている。更に、図５に示すように、取付孔６ａの中心と天板１２の上面との間の距離Ｌ４は、図１２に示すように、後述する第１付属パネル２０における棚部材３６の取付孔３６ａと板状部材３５の一方の面３５ｂとの距離Ｌ５と同一に設定されている。
【００１９】
また、前記取付部材１３には、図３に示すように、取付孔１３ａが左右方向に８個設けられ、該取付孔１３ａ内には雌ネジが固設されている。該取付孔１３ａの位置は、付属パネル２０、２１をデスク１の後部において所定の位置に取付けた際の、その取付孔３５ａ、４１ａの位置に対応して設定されている。
【００２０】
前記左右の上フレーム６の取付孔６ａの雌ネジには、図１〜図５に示すように、カバン掛け用等のフック１４の基部に刻設した雄ネジを螺合して取り付けることができるようになっている。
【００２１】
なお、取付孔６ａ、１３ａの数及びその間隔は、デスク１に対し取付ける部材の取付孔の位置に対応して任意に設定することができる。
【００２２】
前記天板１２の下部には、引き出し１５が出し入れ自在に収納されている。また、図１に示すように、脚５、５の間における引き出し１５の下部、即ち、天板１２の下部には、後述する付属パネル２０、２１を上部に載置していない状態のサイドキャビネット３を収納することができる収納空間２が形成されている。
【００２３】
次に、前記サイドキャビネット３について詳述する。
サイドキャビネット３は、図６〜図９に示すように、底板２５を有し、該底板２５の下部の４隅に４個と、後述する引き出し２９ｂの下部の前方中央付近に１個の計５個のキャスタ３０が回転可能に設けられている。前記底板２５の両側部には、側板２６、２６が設けられ、該両側板２６、２６の上部には上板２７が設けられている。また、上板２７、両側板２６、２６、底板２５の後部には背板２８が設けられている。
【００２４】
前記上板２７の上面には、図７に示すように、その左右側部で、かつ、前後方向における前部と略中央付近に位置して２個、計４個の取付孔２７ａ、２７ｂが設けられ、該取付孔２７ａ、２７ｂ内には雌ネジが固設されている。この前側Ａにおける２つの取付孔２７ａの位置は、その取付孔２７ａに対し、図１３に示すように、後述する第２付属パネル２１を、その側部材４２における第１部材４２ａ側が前側Ａとなるように取付けた場合には、図１３に示すように、第２付属パネル２１の板状部材４１の他方の側の端面４１ｃとサイドキャビネット３の前側Ａの面３ａとが、略同一垂直面となるように設定されている。
【００２５】
また、サイドキャビネット３における後側Ｂの２つの取付孔２７ｂの位置は、その取付孔２７ｂに対し、図２０に示すように、第２付属パネル２１を、その側部材４２における第１部材４２ａ側が前側Ａとなるように取付けた場合には、第２付属パネル２１の板状部材４１の一方の側の端面４１ｂとサイドキャビネット３の後側Ｂの面３ｂとが、略同一垂直面となるように設定されている。
【００２６】
前記背板２８の背部（後部）には、図８に示すように、その上部の両側部に位置して、取付孔２８ａが２個設けられ、該取付孔２８ａ内には雌ネジが固設されている。該取付孔２８ａと上板２７の上面との間の距離Ｌ６は、図１１に示すように、後述する第２付属パネル２１における側部材４２の一方の側の端面４２ｅと、板状部材４１の取付孔４１ａの中心との距離Ｌ７と同一に設定され、左右方向の取付孔２８ａと２８ａの中心間の距離Ｌ８は、第２付属パネル２１における板状部材４１の取付孔４１ａと４１ａの中心間の距離Ｌ３と同一に設定されている。
【００２７】
なお、取付孔２７ａ、２７ｂ、２８ａの数及びその間隔は、サイドキャビネット３に取付ける部材の取付孔の位置に対応して任意に設定することができる。
【００２８】
また、サイドキャビネット３の上部と下部には、引き出し２９ａ、２９ｂが出し入れ自在に収納されている。
【００２９】
なお、前記上板２７と底板２５の周端面は、図６から図９に示すように、側板２６、２６及び背板２８の外側面及び収納した状態の引き出し２９ａ、２９ｂの前面と略同一面となるように形成されている。
【００３０】
次に、付属パネルである２種類の第１付属パネル２０と第２付属パネル２１について詳述する。
【００３１】
前記第１付属パネル２０は、図１０、図１１に示すように、板状部材３５を有し、該板状部材３５は、図１１に示すように、長方形状に形成され、その短尺方向の一方（図１１における下側）の端部には、板状部材３５の一方の面３５ｂと他方の面３５ｃを貫通する取付孔３５ａ、３５ａが左右に位置して２個設けられている。該取付孔３５ａと３５ａの中心間の距離Ｌ２は、デスク１の左右の上フレーム６の取付孔６ａと６ａの中心間の距離Ｌ１、前記サイドキャビネット３の背板２８の取付孔２８ａと２８ａの中心間の距離Ｌ８と同一に設定されている。
【００３２】
前記板状部材３５の他方の面３５ｃにおける短尺方向の他方（図１１における上側）の端部には、図１０〜図１２に示すように、棚部材３６が、板状部材３５に対し略直角に設けられている。該棚部材３６の板状部材側の端部には、棚部材３６の表裏を貫通する取付孔３６ａ、３６ａが長手方向に２個設けられている。該取付孔３６ａと３６ａの中心間の距離Ｌ９は、デスク１の左右の上フレーム６の取付孔６ａと６ａの中心間の距離Ｌ１と同一、すなわち、板状部材３５の取付孔３５ａと３５ａの中心間の距離Ｌ２と同一に設定されている。また、図１２に示すように、棚部材３６の取付孔３６ａと板状部材３５の一方の面３５ｂとの距離Ｌ５は、デスク１における上フレーム６の取付孔６ａの中心と天板１２の上面との距離Ｌ４と同一に設定されている。
【００３３】
前記板状部材３５と棚部材３６との間には、棚部材３６の長尺方向（図１１の左右方向）の両側部においては、Ｌ字状の棚受け３７、３７が２個設けられている。
【００３４】
前記板状部材３５の短尺方向の他方の側の端面と、棚部材３６の受面とが略同一平面となるように設定されている。また、板状部材３５の長尺方向の長さＬ１０は、図１５に示すように、デスク１の天板１２の短尺方向（前後方向）の長さＬ１１と略同一に設定されている。
【００３５】
前記第２付属パネル２１は、板状部材４１を有し、該板状部材４１は、図１１に示すように、長方形状に形成され、その短尺方向の一方（図１１における下側）の端部には、板状部材４１の表裏を貫通する取付孔４１ａ、４１ａが長手方向に位置して２個設けられている。該取付孔４１ａ、４１ａの中心間の距離Ｌ３は、デスク１の左右の上フレーム６の取付孔６ａと６ａの中心間の距離Ｌ１、及び、前記サイドキャビネット３の背板２８の取付孔２８ａと２８ａの中心間の距離Ｌ８と同一、すなわち、第１付属パネル２０の板状部材３５の取付孔３５ａと３５ａの中心間の距離Ｌ２と同一に設定されている。
【００３６】
前記板状部材４１の他方の面４１ｅにおける長尺方向（図１１における左右方向）の両端部には、図１０〜図１２に示すように、コ字状の側部材４２、４２が、板状部材４１に対して略直角に設けられ、該側部材４２、４２の両外側面は、板状部材４１の長尺方向の両端面より内側に位置するように設定されている。
【００３７】
前記側部材４２は、図１０、図１１に示す配置状態において、上側に位置する第１部材４２ａと、下側に位置する第２部材４２ｂと、第１部材４２ａの前側と第２部材４２ｂの前側間に架設された第３部材４２ｃとで一体で、かつ、コ字状に形成されている。該側部材４２は、その第３部材４２ｃの中央が、板状部材４１の短尺方向の中央部よりも他方の側（図１１の上側）に偏芯して配置されており、該第１部材４２ａが、板状部材４１の短尺方向における他方の側の端面４１ｃの近傍に位置し、第２部材４２ｂが板状部材４１の一方の側の端面４１ｂと大きく離れている。
【００３８】
前記第２部材４２ｂは、図２１に示すように、板状部材４１に対して略直角となるように、第３部材４２ｃは、板状部材４１に対し略平行となるように設定されている。
【００３９】
第３部材４２ｃの中央部には、図１０、図１１に示すように、板状部材４１の表裏方向に向って貫通する取付孔４２ｄが形成されている。
【００４０】
前記側部材４２の一方の側の端面４２ｅと、板状部材４１の取付孔４１ａの中心との距離Ｌ７は、サイドキャビネット３の背板２８の取付孔２８ａの中心と上板２７の上面との距離Ｌ６と同一に設定されている。
【００４１】
前記板状部材４１の長尺方向の長さＬ１２は、図１４に示すように、サイドキャビネット３の左右方向の長さＬ１３の長さと略同一に設定されている。なお、板状部材４１の短尺方向の長さＬ２０は、図１１に示すように、前記第１付属パネル２０の板状部材３５の短尺方向の長さＬ１８と同一に設定され、その長さＬ２０、Ｌ１８は、サイドキャビネット３における上板２７の前後方向の長さＬ１９より短かければ良く、任意に設定する。また、図１１に示すように、板状部材４１の取付孔４１ａの中心と、板状部材４１の一方の側の端面４１ｂとの距離と、第１付属パネル２０の板状部材３５の取付孔３５ａの中心と、板状部材３５の一方の側の端面との距離は、同一に設定されている。
【００４２】
図１２に示すように、側部材４２における板状部材４１側と逆側の端面４２ｆと、板状部材４１の一方の面４１ｄとの距離Ｌ１４は、図１３、１４に示すように、第２付属パネル２１を板状部材４１の一方の面４１ｄが上側に位置するように、サイドキャビネット３の上部前方に載置した場合の板状部材４１の上面の高さ、すなわち、床面から板状部材４１の一方の面４１ｄまでの距離Ｌ１５が、デスク１の高さ、すなわち、床面から天板１２の上面までの高さＬ１６と略同一となるように設定されている。
【００４３】
また、第１付属パネル２０の長尺方向の長さＬ１０に、第２付属パネル２１の長尺方向の長さＬ１２を加えた長さは、天板１２の左右方向の長さと略同一か若干短く設定されている。
【００４４】
次に、２種類の付属パネル２０、２１のデスク１又はサイドキャビネット３への取付けについて説明する。
【００４５】
前記第１付属パネル２０は、その板状部材３５の他方の面３５ｃ、すなわち、棚部材３６がデスク１の内側となり、棚部材３６が上側となるようにして、図１に示すように天板１２の後部Ｂの右側に、若しくは、天板１２の後部Ｂの左側に配置（図示しない）して、図示しないボルトを、板状部材３５の取付孔３５ａ、３５ａ、及び、デスク１の取付部材１３における所定の取付孔１３ａ、１３ａに挿通し、取付孔１３ａ内の雌ネジに螺合することにより、デスク１（天板１２）の後部に取り付けて、第１付属パネル２０を、板状部材３５が起立したデスク１のバックパネルとして使用することができるようになっている。
【００４６】
また、前記第１付属パネル２０は、その板状部材３５の他方の面３５ｃ、すなわち、棚部材３６がデスク１の内側となり、棚部材３６が上側となるようにして、天板１２の左右いずれかの側部（例えば図１５に示すようにデスク１の左側）に配設して、図示しないボルトを、板状部材３５の取付孔３５ａ、３５ａ、及び、上フレーム６の取付孔６ａ、６ａに挿通し、取付孔６ａ内の雌ネジに螺合することにより、デスク１（天板１２）の側部に取り付けて、第１付属パネル２０を、板状部材３５が起立したデスク１のサイドパネルとして使用することができるようになっている。
【００４７】
また、前記第１付属パネル２０は、その板状部材３５の一方の面３５ｂが上側となり、棚部材３６がデスク１の側面側となるようにして、天板１２の左右いずれかの側部（例えば図１６、図１８に示すようにデスク１の左側）に配設して、図示しないボルトを、棚部材３６の取付孔３６ａ、３６ａ、及び、上フレーム６の取付孔６ａ、６ａに挿通し、取付孔６ａ内の雌ネジに螺合することにより、デスク１（天板１２）の側部に取り付けて、図１６、図１８に示すように、デスク１の天板１２の上面と、第１付属パネル２０における板状部材３５の一方の面３５ｂが略同一平面となるようにデスク１に取付けることができるようになっている。
【００４８】
前記第２付属パネル２１は、その板状部材４１の他方の面４１ｅ、すなわち、側部材４２が、デスク１の内側となり、側部材４２側が上側となるようにして、図１に示すように天板１２の後部Ｂの左側に、若しくは、図１６に示すように天板１２の後部Ｂの右側に配置して、図示しないボルトを、板状部材４１の取付孔４１ａ、４１ａ、及び、デスク１の取付部材１３における所定の取付孔１３ａ、１３ａに挿通し、取付孔１３ａ内の雌ネジに螺合することにより、デスク１（天板１２）の後部に取り付けて、第２付属パネル２１を、板状部材４１が起立したデスク１のバックパネルとして使用することができるようになっている。
【００４９】
第１付属パネル２０と第２付属パネル２１とを、図１に示すように、左右に並べて配置した際は、第１付属パネル２０と第２付属パネル２１とを当接させて配置することができるようになっている。
【００５０】
また、前記第２付属パネル２１は、その板状部材４１の他方の面４１ｅ、すなわち、側部材４２が、デスク１の内側に向き、かつ、側部材４２が天板１２の上に位置するようにして、図１７に示すように、天板１２の左右いずれかの側部（例えば図１７に示すようにデスク１の左側）に配設し、図示しないボルトを、板状部材４１の取付孔４１ａ、４１ａ、及び、上フレーム６の取付孔６ａ、６ａに挿通し、取付孔６ａ内の雌ネジに螺合することにより、デスク１（天板１２）の側部に取り付けて、第２付属パネル２１を、板状部材４１が起立したデスク１のサイドパネルとして使用することができるようになっている。
【００５１】
また、前記第２付属パネル２１は、その板状部材４１の一方の面４１ｄ側を上向きにし、側部材４２がサイドキャビネット３側となるようにし、かつ、側部材４２を前側Ａにして、図１８に示すように、サイドキャビネット３の上板２７の前部Ａに載置し、図示しないボルトを、側部材４２の取付孔４２ｄ、４２ｄ、及び、上板２７の取付孔２７ａ、２７ａに挿通し、取付孔２７ａ内の雌ネジに螺合することにより、第２付属パネル２１を、サイドキャビネット３の前部Ａに偏芯して取り付けることができることができるようになっている。
【００５２】
この取付状態において、図１８に示すように、サイドキャビネット３の前側Ａ（引き出し２９ａ、２９ｂ側）が前方で、かつ、サイドキャビネット３の第２付属パネル２１を載置していない部位（後部）をデスク１の下部の収納空間２内に収納し、第２付属パネル２１を載置した部位のみをデスク１の前方Ａに突出させてサイドキャビネット３を配置することにより、天板１２の上面と、第２付属パネル２１における板状部材４１の一方の面４１ｄとが略同一平面とし、かつ、その状態における天板１２の前部に板状部材４１の後部を近接、若しくは当接させることができるようになっている。
【００５３】
また、前記第２付属パネル２１は、その板状部材４１の一方の面４１ｄ側を上向きにし、側部材４２がサイドキャビネット３側となるようにし、かつ、側部材４２が前側Ａにして、図１９、図２０に示すように、サイドキャビネット３の上板２７の後部Ｂに載置して、図示しないボルトを、側部材４２の取付孔４２ｄ、４２ｄ、及び、上板２７の取付孔２７ｂ、２７ｂに挿通し、取付孔２７ｂ内の雌ネジに螺合することにより、第２付属パネル２１を、サイドキャビネット３の後部Ｂに偏芯して取り付けることができるようになっている。この状態においては、天板１２の上面と、第２付属パネル２１における板状部材４１の一方の面（上面）４１ｄとが略同一平面となっている。
【００５４】
第２付属パネル２１を、上記のようにサイドキャビネット３の上部に取付けた場合、図１８〜図２０に示すように、板状部材４１と、上板２７と、側部材４２、４２との間に空間５０が形成されるようになっている。
【００５５】
また、前記第２付属パネル２１の板状部材４１を、その他方の面４１ｅが前側Ａ、すなわち、サイドキャビネット３の内側に向くようにし、かつ、側部材４２が上側となるようにして起立して第２付属パネル２１を、図１５に示すように、サイドキャビネット３の後部Ｂに配設し、図示しないボルトを、板状部材４１の取付孔４１ａ、４１ａ、及び、背板２８の取付孔２８ａ、２８ａに挿通し、取付孔２８ａ内の雌ネジに螺合することにより、サイドキャビネット３の後部に取り付けて、第２付属パネル２１を、サイドキャビネット３のバックパネルとして使用することができるようになっている。この状態における、側部材４２の下側の面、すなわち、第２部材４２ｂの外側面は、図２１に示すように、上板２７の上面に当接するように設定されている。
【００５６】
前記フック１４は、図１に示すように、デスク１の前記左右の上フレーム６の取付孔６ａ、図１５に示すように、サイドキャビネット３の上板２７の取付孔２７ａ、２７ｂに取り付けることができるようになっている。
【００５７】
以上の構成により、本発明は、次のような作用、効果を発揮する。
第１付属パネル２０を、その板状部材３５の一方の面３５ｂが、天板１２の上面と略同一面となるように、前記天板１２（デスク１）の側部に取付けたり、第２付属パネル２１を、その板状部材４１の一方の面４１ｄが、天板１２の上面と略同一面となるように、サイドキャビネット３の上部に取付けることにより、デスク１の左右方向、若しくは前側Ａ（使用者側）の作業スペースを広げることができ、デスクの使用者（着席者）の着席状態で手の届く範囲の作業スペースを広げることができる。
【００５８】
また、家庭においてデスク１を設置する際、通常、デスク１の左右の何れか一方の側は壁に近接するように配置されているが、他方の側は壁に近接していないことが多いため、その壁に近接していない側に、上記のようにして作業スペースを広げることができ、従来技術１のように作業スペースを広げるのに困難となることがない。
【００５９】
また、従来、天板を有し、該天板の下部にサイドキャビネットを収納可能な収納空間を有するデスクとサイドキャビネットであって、前記サイドキャビネットの上部には、多段階に昇降自在な補助天板が設けられているもの、（例えば、特開２００１−２９９４６２号公報）が知られている。これを従来技術２とする。
【００６０】
この従来技術２においては、前記補助天板を下降させて、サイドキャビネットの高さを低くすることで、前記収納空間内にサイドキャビネットを収納することができる。また、補助天板を上昇させて、該補助天板の上面をデスクの天板の上面と同じ高さとし、補助天板の側面を天板の側面に近接させることで、サイドキャビネットを脇机とし、かつ、デスクの作業空間を広げることができる。
【００６１】
しかし、前記従来技術２においては、サイドキャビネットの上部における作業空間をできるだけ広くするため、補助天板の前後方向の長さは、サイドキャビネットの上板の前後方向の長さと同じか、長く形成されているため、補助天板を上昇させた状態のサイドキャビネットを、その長手方向がデスクの左右方向と直交する、若しくは平行するようにデスクの前側に配置して、デスクとサイドキャビネットとがＬ字状となるように配置した状態にすると、補助天板が、デスクの前部又は側部から大きく突出してしまい、場所をとるという問題がある。
【００６２】
また、サイドキャビネットを、その前後方向が、横に向くように配置した場合には、サイドキャビネットの引き出しの出し入れをする際に、椅子が邪魔となり出し入れしにくいという問題がある。
【００６３】
また、補助天板の高さを多段階にわたって調節することができるようになっているが、通常、補助天板は、サイドキャビネットを収納空間内に収納可能な位置まで下降させた位置と、補助天板とデスクの天板とが同一の高さとなる位置とでしか使用することがなく、他の位置での位置調整機能は必要とされていないという問題がある。
【００６４】
また、補助天板を下降させてサイドキャビネットを前記収納空間内に収納させた状態においては、補助天板の使用用途はないという問題がある。
【００６５】
これに対し、本発明の実施例においては、第２付属パネル２１の板状部材４１の短尺方向の長さＬ２０を、サイドキャビネット３の前後方向の長さＬ１９よりも短く設定され、かつ、図１８に示すように、第２付属パネル２１を載置したサイドキャビネット３の前部のみをデスク１の前方に突出させ、第２付属パネル２１を載置していない後方部をデスク１の収納空間２内に収納することができるため、前記従来技術２のように、サイドキャビネット３がデスク１の前方又は側方に大きく突出して場所をとるという問題を解消できる。
【００６６】
また、第２付属パネル２１の板状部材４１の短尺方向の長さを必要最小限とすることで、サイドキャビネット３の上部に載置した場合においても、板状部材４１が、補助天板として必要以上に場所をとることがなく、コンパクトに使用できる。
【００６７】
また、サイドキャビネット３の引き出し２９ａ、２９ｂが、前側Ａとなるようにしてサイドキャビネット３を配置するため、従来技術２のように、椅子が邪魔となりサイドキャビネットの引き出しを引き出すことが困難とならず、容易に引き出し２９ａ、２９ｂを出し入れすることができる。
【００６８】
また、付属パネル２０、２１を、デスク１の天板１２の作業スペースを拡大するために使用しない場合においては、付属パネル２０、２１を、デスク１のバックパネル又はサイドパネル、サイドキャビネット３のバックパネルとして使用でき、常に、付属パネル２０、２１を有効に活用することができる。
【００６９】
また、第１付属パネル２０の棚受け３７は、第１付属パネル２０をデスク１のバックパネル又はサイドパネルとして使用した際（図１、図１５参照）に、本立てとしても利用することができる。
【００７０】
また、第２付属パネル２１の側部材４２は、第２付属パネル２１をデスク１のバックパネル又はサイドパネルとして使用した際（図１、図１７参照）に、本立てとしても利用することができる。
【００７１】
また、第２付属パネル２１を、サイドキャビネット３の上部に取付けた場合（図１８、図１９参照）に、板状部材４１と、上板２７と、側部材４２、４２とで形成される空間５０を収納スペースとして利用することができる。
【００７２】
なお、第１付属パネル２０と第２付属パネル２１の設置位置の組合せは、上記又は図面の実施例に限定されるものではなく、任意に組み合わせることができる。
【００７３】
また、付属パネルを第１付属パネル２０と第２付属パネル２１との２種類で構成したが、何れか一方の付属パネルのみで構成しても良い。
【００７４】
また、第１付属パネル２０を、デスク１に対して、そのサイドパネル又はパックパネルとして使用しなくても良い。
【００７５】
また、第２付属パネル２１を、デスク１に対して、そのサイドパネル又はパックパネルとして、又は、サイドキャビネット３に対して、そのパックパネルとして使用しなくても良い。
【図面の簡単な説明】
【００７６】
【図１】本発明におけるデスクとサイドキャビネットへの付属パネルの取付状態の１例を示す斜視図。
【図２】本発明に用いるデスクの正面図。
【図３】図２の背面図。
【図４】図２の右側面図。
【図５】図２の左側面図。
【図６】本発明に用いるサイドキャビネットの正面図。
【図７】図６の上面図。
【図８】図６の背面図。
【図９】図６の右側面図。
【図１０】本発明に用いる２種類の付属パネルの斜視図。
【図１１】図１０の正面図
【図１２】図１０の上面図。
【図１３】サイドキャビネットの前方上部に、第２付属パネルを載置した状態の側面図。
【図１４】図１３の正面図。
【図１５】デスクとサイドキャビネットへの付属パネルの取付状態の１例を示す斜視図。
【図１６】デスクとサイドキャビネットへの付属パネルの取付状態の１例を示す斜視図。
【図１７】デスクへの第２付属パネルの取付状態の１例を示す斜視図。
【図１８】デスクとサイドキャビネットへの付属パネルの取付状態の１例を示す斜視図。
【図１９】サイドキャビネットの上部後方に、第２付属パネルを載置した状態の斜視図。
【図２０】図１９の側面図。
【図２１】サイドキャビネットの後部に、第２付属パネルをサイドキャビネットのバックパネルとして取付けた状態の側面図。
【符号の説明】
【００７７】
１  デスク
２  空間
３  サイドキャビネット
１２  天板
２０  第１付属パネル
２１  第２付属パネル
３５  第１付属パネルの板状部材
３５ｂ  第１付属パネル板状部材の一方の面
４１  第２付属パネルの板状部材
４１ｄ  第２付属パネル板状部材の一方の面
４２  側部材
【図１】
2009297279.tif 000003
【図２】
2009297279.tif 000004
【図３】
2009297279.tif 000005
【図４】
2009297279.tif 000006
【図５】
2009297279.tif 000007
【図６】
2009297279.tif 000008
【図７】
2009297279.tif 000009
【図８】
2009297279.tif 000010
【図９】
2009297279.tif 000011
【図１０】
2009297279.tif 000012
【図１１】
2009297279.tif 000013
【図１２】
2009297279.tif 000014
【図１３】
2009297279.tif 000015
【図１４】
2009297279.tif 000016
【図１５】
2009297279.tif 000017
【図１６】
2009297279.tif 000018
【図１７】
2009297279.tif 000019
【図１８】
2009297279.tif 000020
【図１９】
2009297279.tif 000021
【図２０】
2009297279.tif 000022
【図２１】
2009297279.tif 000023